(57)【特許請求の範囲】
【請求項１】
合成樹脂製のシート材よりなる容器本体と蓋体とからなる包装用容器であって、閉蓋状態において相対して接する鍔部の所定の領域に閉蓋状態を保持する係止手段が設けられるとともに、前記領域を囲む凸条と凹条による嵌合構造が設けられてなり、
前記係止手段として、容器本体と蓋体の１方の前記領域内には、四角形の１辺を除いた角状Ｕ形をなす切込みが形成され、他方の前記領域内には、前記角状Ｕ形の切込みの対向する両辺部間の間隔より狭い間隔を存して位置する２つの切込み端を基端部として、前記角状Ｕ形の切込みの両辺部間の間隔より両側方に延び、かつ両端部で転回してＣ形状に連続する切込みにより、両切込み端間を連続部とする係止部片が設けられており、前記凸条と凹条が嵌合した閉蓋状態において、前記係止部片が前記角状Ｕ形の切込みの両辺部間に押し込まれて弾性変形しながら通過せしめられることにより、該係止部片の両端部が前記角状Ｕ形の切込みの両辺部の外側縁に係止するように設けられてなることを特徴とする包装用容器。
【請求項２】
容器本体と蓋体が側辺でヒンジ部を介して一体に連接形成され、前記係止手段を含む領域が前記ヒンジ部とは反対側の隅角部を含む辺部の一部の領域である請求項１に記載の包装用容器。
【請求項３】
前記係止手段を含む領域が、閉蓋状態において相対して接する容器本体と蓋体の鍔部における少なくとも一つの隅角部の領域であり、嵌合構造の凸条と凹条が隅角部の容器両辺に沿う両辺部と両辺に対し斜めの斜辺部とによる三角形状をなしており、前記係止手段の角状Ｕ形の切込みと、前記Ｃ形状の切込みによる係止部片とが前記三角形状の嵌合構造により囲まれた領域内に設けられてなる請求項１または２に記載の包装用容器。
【請求項４】
前記角状Ｕ形の切込みは、その中央部が前記三角形状の領域を囲む嵌合構造の斜辺部に沿い、かつ両辺部が前記斜辺部に対し直角方向に延びた斜めの角状Ｕ形をなしており、前記係止部片を形成する切込みは、切込み端が前記三角形状の領域を囲む嵌合構造の直角をなす両辺部にあって該両辺部に沿って延び、かつ半円状に転回して斜辺部に沿う中央部て連続したＣ形状をなし、両端部が舌片状に形成されてなる請求項３に記載の包装用容器。
【請求項５】
前記角状Ｕ形の切込みの内方部が押さえ片として、両辺部の外側縁部に係止する係止部片を押さえるように設けられてなる請求項１〜４のいずれか１項に記載の包装用容器。
【請求項６】
容器本体と蓋体の鍔部の外側外周に、閉蓋時に互いに嵌合する嵌合縁部が設けられてなる請求項５に記載の包装用容器。
【発明の詳細な説明】
【技術分野】
【０００１】
本発明は、主として果実や野菜その他の食料品等を収納するのに使用する包装用容器で、特に閉蓋状態を保持する係止手段を備える包装用容器に関するものである。
【背景技術】
【０００２】
従来より、果実や野菜その他の食料品等の各種の物品を収納して包装する包装用容器として、薄肉の合成樹脂製のシート材を素材として、１もしくは複数の収納凹部を有する容器本体と、これに被着自在な蓋体とを形成したものが知られている。容器本体と蓋体とは、それぞれ別体に形成して蓋体を容器本体に嵌合被着自在に形成しておくほか、前記容器本体の一側辺にヒンジ部を介して蓋体を一体に連接して形成し、該蓋体をヒンジ部から折曲して容器本体に対し被着自在に設けたものもある。
【０００３】
かかる包装用容器としては、前記いずれの場合にも、容器本体に蓋体を被着した状態を安定性よく保持しておくことが望まれており、そのため従来は、蓋体による閉蓋状態を保持するために、容器本体と蓋部の鍔部の個所をステープラーで止めたり、又は接着テープを用いて閉止することが行われていた。
【０００４】
しかしながら、従来のようにステープラーや接着テープを使用した場合、開蓋操作の際には前記ステープラーの針を取り外したり、接着テープを剥す必要が有り、操作が面倒である上、ゴミが生じる問題もある。
【０００５】
そのため、合成樹脂製の成形容器からなる包装用容器において、容器本体の鍔部と蓋体の鍔部とに、互いに係止する係止構造を一体に設けることが提案されている。かかる提案の係止構造は、例えば、容器本体と蓋体の両者の鍔部の外縁側にそれぞれ外縁に開放される切り込みによる係止片部を設け、両係止片部同士を互い違いに係止するようにしたもの（特許文献１）、あるいは貫通穴とこれに嵌合する成形凸部からなるもの（特許文献２）が普通である。前者の場合、鍔部外縁に切り込みが開放されることで切り込み端のエッジが外縁に生じることになり、開閉操作の際に容器を把持する手や指先を傷つけるおそれがあり、また後者の場合は、嵌合構造のために高精度の金型が必要になり、コスト高になるといった問題がある上、嵌合部に緩みが生じ易く充分な閉止強度が得られない虞もある。
【先行技術文献】
【特許文献】
【０００６】
【特許文献１】特開平９−２０７９２７号公報
【特許文献２】特開平６−１５６４６８号公報
【発明の開示】
【発明が解決しようとする課題】
【０００７】
本発明は、上記に鑑みてなしたものであり、容器本体に被着される蓋体を閉蓋状態に保持するための係止手段として、外周縁に切込みによるエッジが生じず、また成形上の加工も容易であって、しかも係止状態が容易に外れることがない閉止強度を確保でき、閉蓋状態を安定性よく保持できるようにした包装用容器を提供するものである。
【課題を解決するための手段】
【０００８】
上記の課題を解決する本発明は、合成樹脂製のシート材よりなる容器本体と蓋体とからなる包装用容器であって、閉蓋時に相対して接する鍔部の所定の領域に閉蓋状態を保持する係止手段が設けられるとともに、前記領域を囲む凸条と凹条による嵌合構造が設けられてなり、前記係止手段として、容器本体と蓋体の１方の前記領域内には、四角形の１辺を除いた角状Ｕ形をなす切込みが形成され、他方の前記領域内には、前記角状Ｕ形の切込みの対向する両辺部間の間隔より狭い間隔を存して位置する２つの切込み端を基端部として、前記角状Ｕ形の切込みの両辺部間の間隔より両側方に延び、かつ両端部で転回してＣ形状に連続する切込みにより、両切込み端間を連続部とする係止部片が設けられており、前記凸条と凹条が嵌合した閉蓋状態において、前記係止部片が前記角状Ｕ形の切込みの両辺部間に押し込まれて弾性変形しながら通過せしめられることにより、該係止部片の両端部が前記角状Ｕ形の切込みの両辺部の外側縁に係止するように設けられてなることを特徴とする。
【０００９】
この包装用容器によれば、容器本体に蓋体を被着し前記凸条と凹条を嵌合した閉蓋状態において、該凸条と凹条により囲まれた領域内の係止手段を係止する際、Ｃ形状に連続する切込みにより形成された一方側の係止部片を、他方側の角状Ｕ形の切込みの内方部に押し込んで、該係止部片の両端部を弾性変形させて角状Ｕ形の切込みの両辺部間を通過させる。この際、前記係止手段を備える領域が前記凸条と凹条との嵌合構造により囲まれているため、該領域の部分が曲がったり、位置がずれたりすることがなく、前記係止部片を容易に確実に通過させることができる。こうして、通過した係止部片の両端部が元の平板状に復帰し、該両端部が角状Ｕ形の切込みの両辺部の外側縁部に係止することにより、この係止構造により充分な閉止強度が確保される。特に、前記係止手段を備える領域が凸条と凹条による嵌合構造により囲まれているために、該領域の部分の保形性もよく、横ずれも生じず、前記係止部材の両端部が角状Ｕ形の切込みの両辺部の外側縁部に係止した状態を良好に保持でき、容易に外れることがない。
【００１０】
前記の包装用容器において、容器本体と蓋体が側辺でヒンジ部を介して一体に連接形成され、前記係止手段を含む領域が前記ヒンジ部とは反対側の隅角部を含む辺部の一部の領域であるものとする。これにより、容器本体にヒンジ部を介して連接された蓋体を閉蓋状態に良好に保持できる。
【００１１】
前記の包装用容器において、前記係止手段を含む領域が、閉蓋状態において相対して接する容器本体と蓋体の鍔部における少なくとも一つの隅角部の領域であり、嵌合構造の凸条と凹条が隅角部の両辺に沿う両辺部と両辺部に対し斜めの斜辺部とによる三角形状をなしており、前記係止手段の角状Ｕ形の切込みと、前記Ｃ形状の切込みによる係止部片とが前記三角形状の嵌合構造により囲まれた領域内に設けられてなるものとすることができる。これにより、容器本体の辺部の中央に係止手段を設ける領域を有さないものでも、包装対象の物品の収納に殆ど影響のない隅角部の三角形状の領域内に前記係止手段を設けることができる。
【００１２】
前記の包装用容器において、前記角状Ｕ形の切込みは、その中央部が前記三角形状の領域を囲む嵌合構造の斜辺部に沿い、かつ両辺部が前記斜辺部に対し直角方向に延びた斜めの角状Ｕ形をなしており、前記係止部片を形成する切込みは、切込み端が前記三角形状の領域を囲む嵌合構造の直角をなす両辺部にあって該両辺部に沿って延び、かつ半円状に転回して斜辺部に沿う中央部て連続したＣ形状をなし、両端部が舌片状に形成されてなるものとするのが好ましい。これにより、角状Ｕ形の切込み及びＣ形状の切込みによる係止部片を、三角形状の嵌合構造に沿って体裁よく形成でき、しかも係止操作が行い易く、かつ係止状態が体裁よく安定したものとなる。
【００１３】
前記角状Ｕ形の切込みの内方部が押さえ片として、両辺部の外側縁部に係止する係止部片を押さえるように設けられてなるものとすることができ、これにより前記係止部片の係止状態がさらに安定する。
【００１４】
前記の包装用容器において、容器本体と蓋体の鍔部の外側外周に、閉蓋時に互いに嵌合する嵌合縁部が設けられてなるものとすることができ、これにより閉蓋状態がさらに良好になる。
【発明の効果】
【００１５】
上記のように本発明の包装用容器によれば、容器本体に被着される蓋体を閉蓋状態に保持するための係止手段の構造において、外周縁に切込みによるエッジが生じず、また成形上の加工も容易であって、しかも係止手段の領域の部分の曲がり変形を抑制できることで、係止状態が容易に外れることがなく、閉止強度を良好に確保でき、閉蓋状態を安定性よく保持でき、体裁も良好なものとなる。
【図面の簡単な説明】
【００１６】
【図１】本発明の包装用容器の斜視図である。
【図２】同上の容器の断面図である。
【図３】容器本体と蓋体との係止手段の部分の係止状態の断面図である。
【図４】容器本体と蓋体との係止手段の部分の分離した平面図である。
【図５】同上の係止部片の押し込み途中を示す平面図（ａ）とＡ−Ａ線の断面図（ｂ）である。
【図６】同上の係止部片の係止状態の平面図（ａ）とＢ−Ｂ線の断面図（ｂ）である。
【発明を実施するための形態】
【００１７】
次に本発明の実施の形態を図面に示す実施例に基づいて説明する。
【００１８】
図に示す実施例の包装用容器は、弾性を有する熱可塑性の合成樹脂のシート材、例えば非発泡で透明な比較的薄肉の合成樹脂シートから、真空成形、圧空成形等の熱成形加工の手段により成形されたもので、外形が平面矩形の容器本体１と蓋体２とが１側辺に設けられたヒンジ部３を介して一体に連接形成されている。ヒンジ部３は容器本体１と蓋体２の連接部を凹形の溝状に成形してなり、展開状態から素材の持つ弾性力に抗して屈曲させるようにして閉蓋できるようになっている。
【００１９】
前記容器本体１は、例えばプチトマト等の野菜や果実その他の物品を収納し包装できるように外周部に鍔部１２を残して凹設された収納凹部１１を有し、また前記蓋体２は、前記収納凹部１１に収納された収納対象物の上方を覆う膨出部２１が外周部に鍔部２２を残して形成されており、閉蓋時には前記鍔部１２，２２同士が互いに対向して接するように形成されている。前記両鍔部１２，２２の外側外周に、閉蓋時に互いに嵌合する断面Ｌ形の嵌合縁部１３、２３がそれぞれ設けられている。
【００２０】
前記容器本体１の鍔部１２と蓋体２の鍔部２２の対応する所定の領域、例えば前記ヒンジ部３とは反対側の隅角部を含む辺部の一部の領域の個所には、閉蓋状態を保持するための係止手段が設けられ、さらに前記領域を囲むように、例えば容器本体１側の凸条１４と蓋体２側の凹条２４による嵌合構造が設けられている。
【００２１】
図の場合は、前記ヒンジ部３とは反対側の２つの隅角部において、前記収納部１１及び膨出部２１の側面を斜めに凹ませることにより前記鍔部１２，２２に三角形状、特には容器両辺が直角をなす三角形状の領域を作り、該三角形状の領域１５，２５の周縁部、特に前記嵌合縁部１３、２３を除く周縁部に該領域内方を囲むように容器本体１側に前記凸条１４が、蓋体２側に凹条２４が設けられ、閉蓋時に互いに嵌合するように設けられており、この嵌合構造により囲まれた領域内に後述する係止手段が設けられている。
【００２２】
前記凸条１４と凹条２４の形態としては、図の場合、前記容器本体１の鍔部１２における隅角部の三角形状の領域１５の周縁部を蓋体２との対向面側に凸をなすよう内方部を内面側から凹設することにより前記凸条１４が形成されており、また、前記蓋体２の鍔部２２における隅角部の三角形状の領域２５の周縁部を容器本体１との対向面側に凹をなすように内方部を外面側から凹設することにより前記凹条２４が形成されている。
【００２３】
また、前記係止手段として、容器本体１と蓋体２の一方、例えば蓋体２の鍔部２２の前記三角形状の領域２５には、四角形の１辺を除いた角状Ｕ形をなす切込み２６が形成され、該切込み２６の内方部が前記１辺部分で他部分と連続した押さえ片２７として、後述する係止部片を押さえるように形成されている。図の場合、角状Ｕ形の切込み２６の中央部２６ａが前記三角形状の領域２５を囲む嵌合構造の凹条２４の斜辺部に沿い、かつ両辺部２６ｂ，２６ｂが前記斜辺部に対し直角方向に延びた斜めの角状Ｕ形をなしている。
【００２４】
他方の容器本体１の鍔部１２には、前記角状Ｕ形の切込み２６との対応位置において、該切込み２６の対向する両辺部２６ｂ，２６ｂ間の間隔Ｗ１よりやや狭い間隔Ｗ２を存して位置する切込み端１６ａ，１６ａを基端部として、前記両辺部２６ｂ，２６ｂ間の間隔Ｗ１より両側に延び、かつ両端部で転回してＣ形状に連続する切込み１６により、両切込み端１６ａ，１６ａ間を連続部とする係止部片１７が設けられている。この係止部片１７は、前記角状Ｕ形の切込み２６の両辺部２６ｂ，２６ｂ間に主として指先で押し込まれて弾性変形しながら通過せしめられることにより、該係止部片１７の両端部１７ａ，１７ａが前記角状Ｕ形の切込み２６の両辺部２６ｂ，２６ｂの外側縁に係止するように設けられている。
【００２５】
図の場合、前記係止部片１７を形成する切込み１６は、基端部となる切込み端１６ａ，１６ａが前記三角形状の領域１５を囲む嵌合構造の直角をなす両辺部にあって該両辺部に沿って延び、かつ半円状に転回して斜辺部に沿う中央部分で連続しており、全体として嵌合構造の凸条１４の内縁に沿ったＣ形状をなしており、これにより係止部片１７の両端部が舌片状に形成されている。丸みのある舌片状に形成しておくのが、係止部片１７の端部にエッジが生じず、係止操作する指先を傷つけることがなく好ましい。
【００２６】
前記斜辺部に連続する切込み端１６ａ，１６ａ側の部分を斜辺部と平行をなすように前記三角形状の領域１５の内方に向かって切込み形成して終端させておくこともできる。この場合、前記切込み端１６ａ，１６ａを、前記幅Ｗ２で僅かに平行に切込み形成することにより、前記係止部片１７が全体としてＴ形状をなすように形成することができる（図示せず）。
【００２７】
前記係止部片１７の指先での押し込みを可能にするために、前記角状Ｕ形の切込み２６の両辺部２６ｂ，２６ｂ間の間隔Ｗ１、及び両辺部２６ｂ，２６ｂの長さＬ１は、通常５〜２０ｍｍ、好ましく１０〜１５ｍｍ程度に設定される。もちろん前記範囲外での実施も可能である。また、前記係止部片１７を形成する切込み１６の両切込み端１６ａ，１６ａの間隔Ｗ２は、両辺部２６ｂ，２６ｂ間の間隔Ｗ１より０．５〜２．０ｍｍ程度小さく形成され、また，前記係止部片１７の両端部１７ａ，１７ａは前記間隔Ｗ１より２〜４ｍｍ程度長く形成され、さらに両端部１７ａ，１７ａの幅は、前記切込み２５の両辺部２６ｂ，２６ｂの長さＬ１より小さく、例えば、前記切込み端１６ａ，１６ａの部分で１〜３ｍｍ程度小さく形成される。
【００２８】
前記係止部片１７を形成するＣ形状の切込み１６の切込み端１６ａ，１６ａ、及び角状Ｕ形の切込み２６の切込み端２６ｃ，２６ｃは、該切込み端からの裂損を防止するために、該切込み端を丸孔状に僅かに拡径形成しておくのが好ましい。
【００２９】
図中の符号１８、２８は、通気部を兼ねて設けられた開閉操作用の指掛け凹部、符号２９は通気孔である。
【００３０】
上記した包装用容器の構成材の合成樹脂のシート材としては、従来よりこの種の包装用容器に使用されている合成樹脂、例えばポリスチレン及びポリスチレンを主体とする共重合体等のポリスチレン系樹脂、ポリエチレンやポリプロピレン及びオレフィンを主体とする共重合体等のポリオレフィン系樹脂、ポリエチレンテレフタレート等のポリエステル系樹脂その他の各種の熱成形可能な合成樹脂のシートを使用できる。また、シートの厚みは、係止部片１７の押し込みの際に弾性変形できる適度の弾性を有するように適宜設定でき、例えば０．１〜１．０ｍｍ程度のものが用いられる。前記係止手段の角状Ｕ形の切込み２５，及びＣ形状の切込み１５は、シートからの成形後のトリミングの際に同時にカットして形成できる。
【００３１】
この包装用容器によれば、容器本体１に収納対象の果実等の物品を収納して蓋体２を被着し、前記凸条１４と凹条２４を嵌合した閉蓋状態において、容器本体１と蓋体２の互いに接する鍔部１２，２２の所定の領域、例えば凸条１４と凹条２４により囲まれた隅角部の三角形状の領域１５，２５に有する係止手段を係止し閉止する際、鍔部１２，２２の一方の領域、例えば図のように容器本体１の鍔部１２に有するＣ形状の切込み１６により形成された係止部片１７を、蓋体２の鍔部２２に有する角状Ｕ形の切込み２６の内方部に下方から押し込むようにして、図５のように該係止部片１７を湾曲状に弾性変形させて前記切込み２６の両辺部２６ｂ，２６ｂ間を通過させる。この際、前記係止手段を備える例えば三角形状の領域１５，２５が前記凸条１４と凹条２４との嵌合構造により囲まれて補強されているため、該領域１５，２５の部分が曲がったり、位置がずれたりすることがなく、前記係止部片１７を容易に確実に通過させることができる。こうして切込み２６内を通過した係止部片１７が元の平板状に復帰することにより、図６のように該係止部片１７の両端部１７ａ，１７ａが切込み２６の両辺部２６ｂ，２６ｂの外側縁部に係止した状態になり、この係止構造により充分な閉止強度が確保され、係止状態が容易に外れることがなく、閉蓋状態を良好に保持できる。特に、前記領域１５，２５が凸条１４と凹条２４による嵌合構造により囲まれているために、該領域１５，２５の部分の保形性もよく、横ずれ背も規制されるため、前記係止部材１７の両端部１７ａ，１７ａが角状Ｕ形の切込み２６の両辺部２６ｂ，２６ｂの外側縁部に係止した状態を良好に保持でき、容易に外れることがない。
【００３２】
また、蓋体２を開くために前記係止手段の係止状態を解除するには、例え前記係止部片１７を押さえ片２７の上から前記と反対方向に押し込むようにして、角状Ｕ形の切込み２６の内方部を通過させて抜脱すればよく、開蓋操作も容易に行える。
【００３３】
なお、上記した実施例では、蓋体２に角状Ｕ形の切込み２６、及び嵌合構造の凹条２４を設け、容器本体１にＣ形状の切込み１６による係止部片１７及び嵌合構造の凸条１４を設けた場合を示したが、これを逆に、容器本体１に嵌合構造の凹条、及び角状Ｕ形の切込み、蓋体に嵌合構造の凸条及びＣ形状の切込みによる係止部片を設けて実施することもできる。
【産業上の利用可能性】
【００３４】
本発明の包装用容器は、各種の果実の包装用容器のほか、他の食品の包装用容器、食品以外の各種物品の包装用容器にも利用できる
【符号の説明】
【００３５】
１…容器本体、２…蓋体、３…ヒンジ部、１１…収納凹部、１２…鍔部、１３…嵌合縁部、１４…凸条、１５…三角形状の領域、１６…Ｃ形状の切込み、１６ａ…切込み端、１１７…係止部片、１７ａ…端部、２１…膨出部、２２…鍔部、２３…嵌合縁部、２４…凹条、２５…三角形状の領域、２６…角状Ｕ形の切込み、２６ａ…中央部、２６ｂ…両辺部、２７…押さえ片、Ｗ１，Ｗ２…間隔，Ｌ１…長さ。
【図１】
0005501926.tif 000002
【図２】
0005501926.tif 000003
【図３】
0005501926.tif 000004
【図４】
0005501926.tif 000005
【図５】
0005501926.tif 000006
【図６】
0005501926.tif 000007